(57)【特許請求の範囲】
【請求項１】
流体クイックコネクタ組立体であって、
エンドフォームを収容するように構成された通路を有するハウジングと、
リテーナであって、ブリッジと、前記ブリッジから延びるビームと、前記リテーナが係合位置にあるときに前記エンドフォームを前記ハウジングの通路内に保持する、前記ブリッジから延びる２つのリテーナアームと、前記係合位置へ移動中の前記リテーナを導く、前記ブリッジから延びる２つのガイド脚部とを含み、前記ブリッジ、前記ビーム、前記２つのリテーナアーム、及び前記２つのガイド脚部は一体的な単一の単体部品であり、前記ビームは前記リテーナが前記係合位置にあるときに前記エンドフォームと接触する、リテーナと
を含み、
前記ハウジングは第１部分と、第２部分と、第３部分とを含み、前記第１部分と前記第２部分はそれらの間に第１空間を画定して第１フランジによって接続され、前記第２部分と前記第３部分はそれらの間に第２空間を画定して第２フランジによって接続され、前記２つのリテーナアームは前記第１空間内に収容され、前記２つのガイド脚部は前記第２空間に収容され、
前記ハウジングの第２部分は止め具を含み、前記２つのリテーナアームは各々、前記リテーナが前記係合位置へ移動するのを防止するために前記ハウジングの止め具と係合するかぎ状突起を含む、流体クイックコネクタ組立体。
【請求項２】
前記エンドフォームは環状ビードを有する管状体を含み、前記ビームは、冗長ラッチを提供するために前記リテーナが前記係合位置にあるときに前記環状ビードの軸方向前方に配置される、請求項１に記載の流体クイックコネクタ組立体。
【請求項３】
前記ビームは曲面状の下面を有する、請求項１に記載の流体クイックコネクタ組立体。
【請求項４】
前記リテーナの２つのリテーナアームは各々、アップセット接触タブを含み、前記リテーナが前記係合位置へ移動できるようにするために前記かぎ状突起を前記止め具から外すように前記２つのリテーナアームを外側に付勢するべく、前記エンドフォームの環状ビードが前記アップセット接触タブと係合する、請求項１に記載の流体クイックコネクタ組立体。
【請求項５】
前記リテーナが前記係合位置にあるとき、前記２つのリテーナアームは前記エンドフォームを前記ハウジング内に固定するために内側に偏る、請求項４に記載の流体クイックコネクタ組立体。
【請求項６】
流体クイックコネクタ組立体であって、
エンドフォームを収容するように構成された通路を有するハウジングと、
リテーナであって、ブリッジと、前記ブリッジから延びるビームと、前記リテーナが係合位置にあるときに前記エンドフォームを前記ハウジングの通路内に保持する、前記ブリッジから延びる２つのリテーナアームと、前記係合位置へ移動中の前記リテーナを導く、前記ブリッジから延びる２つのガイド脚部とを含み、前記ブリッジ、前記ビーム、前記２つのリテーナアーム、及び前記２つのガイド脚部は一体的な単一の単体部品であり、前記ビームは前記リテーナが前記係合位置にあるときに前記エンドフォームと接触する、リテーナと
を含み、
前記ハウジングは第１部分と、第２部分と、第３部分とを含み、前記第１部分と前記第２部分はそれらの間に第１空間を画定して第１フランジによって接続され、前記第２部分と前記第３部分はそれらの間に第２空間を画定して第２フランジによって接続され、前記２つのリテーナアームは前記第１空間内に収容され、前記２つのガイド脚部は前記第２空間に収容され、
前記ハウジングの第２部分は第１戻り止めを含み、前記リテーナの２つのリテーナアームは第２戻り止めを含み、前記第１戻り止めと前記第２戻り止めは、前記リテーナが前記係合位置にあるときに前記リテーナが前記ハウジングから外れるのを防止するために係合する、流体クイックコネクタ組立体。
【請求項７】
流体クイックコネクタ組立体であって、
エンドフォームを収容するように構成された通路を有するハウジングと、
リテーナであって、ブリッジと、前記ブリッジから延びるビームと、前記リテーナが係合位置にあるときに前記エンドフォームを前記ハウジングの通路内に保持する、前記ブリッジから延びる２つのリテーナアームと、前記係合位置へ移動中の前記リテーナを導く、前記ブリッジから延びる２つのガイド脚部とを含み、前記ブリッジ、前記ビーム、前記２つのリテーナアーム、及び前記２つのガイド脚部は一体的な単一の単体部品であり、前記ビームは前記リテーナが前記係合位置にあるときに前記エンドフォームと接触する、リテーナと
を含み、
前記ハウジングは第１部分と、第２部分と、第３部分とを含み、前記第１部分と前記第２部分はそれらの間に第１空間を画定して第１フランジによって接続され、前記第２部分と前記第３部分はそれらの間に第２空間を画定して第２フランジによって接続され、前記２つのリテーナアームは前記第１空間内に収容され、前記２つのガイド脚部は前記第２空間に収容され、
前記２つのガイド脚部は各々、上部戻り止めと、下部戻り止めと、それらの間に位置する中央戻り止めとを含む、流体クイックコネクタ組立体。
【請求項８】
前記リテーナがサービス位置にあるとき、前記第１フランジが前記中央戻り止めと前記下部戻り止めとの間に位置し、前記リテーナが出荷位置にあるとき、第１フランジが前記中央戻り止めと前記上部戻り止めとの間に位置し、前記リテーナが前記係合位置にあるとき、前記上部戻り止めが前記第１フランジのスロット内に収容される、請求項７に記載の流体クイックコネクタ組立体。
【請求項９】
前記２つのリテーナアームの各々は、前記エンドフォームの環状ビードが係合する、面取りされた内側面を含む、請求項１に記載の流体クイックコネクタ組立体。
【請求項１０】
流体クイックコネクタ組立体であって、
環状ビードを有する管状体を含むエンドフォームと、
前記エンドフォームを収容するように構成された通路を有するハウジングであって、第１部分と、第２部分と、第３部分とを含み、前記第１部分と前記第２部分はそれらの間に第１空間を画定して第１フランジによって接続され、前記第２部分と前記第３部分はそれらの間に第２空間を画定して第２フランジによって接続されている、ハウジングと、
ブリッジと、前記ブリッジから延びるビームとを含むリテーナであって、前記ビームは曲面状の下面を有し、前記リテーナは、前記リテーナが係合位置にあるときに前記エンドフォームを前記ハウジングの通路内に保持する、前記ブリッジから延びる２つのリテーナアームと、前記係合位置へ移動中の前記リテーナを導く、前記ブリッジから延びる２つのガイド脚部とを含み、前記ブリッジ、前記ビーム、前記２つのリテーナアーム、及び前記２つのガイド脚部は、一体的な単一の単体部品であり、前記ビームは、前記リテーナが前記係合位置にあるときに前記エンドフォームと接触し、前記ビームは、冗長ラッチを提供するために前記リテーナが前記係合位置にあるときに前記環状ビードの軸方向前方に配置され、前記２つのリテーナアームは前記ハウジングの第１空間に収容され、前記２つのガイド脚部は前記ハウジングの第２空間に収容される、リテーナと
を含み、
前記ハウジングの第２部分は止め具を含み、前記２つのリテーナアームは各々、前記リテーナが前記係合位置へ移動するのを防止するために前記ハウジングの止め具と係合するかぎ状突起を含む、流体クイックコネクタ組立体。
【請求項１１】
前記リテーナの２つのリテーナアームは各々、アップセット接触タブを含み、前記リテーナが前記係合位置へ移動できるようにするために前記かぎ状突起を前記止め具から外すように前記２つのリテーナアームを外側に付勢するべく、前記エンドフォームの環状ビードが前記アップセット接触タブと係合する、請求項１０に記載の流体クイックコネクタ組立体。
【請求項１２】
前記リテーナが前記係合位置にあるとき、前記２つのリテーナアームは前記エンドフォームを前記ハウジング内に固定するために内側に偏る、請求項１１に記載の流体クイックコネクタ組立体。
【請求項１３】
流体クイックコネクタ組立体であって、
環状ビードを有する管状体を含むエンドフォームと、
前記エンドフォームを収容するように構成された通路を有するハウジングであって、第１部分と、第２部分と、第３部分とを含み、前記第１部分と前記第２部分はそれらの間に第１空間を画定して第１フランジによって接続され、前記第２部分と前記第３部分はそれらの間に第２空間を画定して第２フランジによって接続されている、ハウジングと、
ブリッジと、前記ブリッジから延びるビームとを含むリテーナであって、前記ビームは曲面状の下面を有し、前記リテーナは、前記リテーナが係合位置にあるときに前記エンドフォームを前記ハウジングの通路内に保持する、前記ブリッジから延びる２つのリテーナアームと、前記係合位置へ移動中の前記リテーナを導く、前記ブリッジから延びる２つのガイド脚部とを含み、前記ブリッジ、前記ビーム、前記２つのリテーナアーム、及び前記２つのガイド脚部は、一体的な単一の単体部品であり、前記ビームは、前記リテーナが前記係合位置にあるときに前記エンドフォームと接触し、前記ビームは、冗長ラッチを提供するために前記リテーナが前記係合位置にあるときに前記環状ビードの軸方向前方に配置され、前記２つのリテーナアームは前記ハウジングの第１空間に収容され、前記２つのガイド脚部は前記ハウジングの第２空間に収容される、リテーナと
を含み、
前記ハウジングの第２部分は第１戻り止めを含み、前記リテーナの２つのリテーナアームは第２戻り止めを含み、前記第１戻り止めと前記第２戻り止めは前記リテーナが前記係合位置にあるときに前記リテーナが前記ハウジングから外れるのを防止するために係合する、流体クイックコネクタ組立体。
【請求項１４】
流体クイックコネクタ組立体であって、
環状ビードを有する管状体を含むエンドフォームと、
前記エンドフォームを収容するように構成された通路を有するハウジングであって、第１部分と、第２部分と、第３部分とを含み、前記第１部分と前記第２部分はそれらの間に第１空間を画定して第１フランジによって接続され、前記第２部分と前記第３部分はそれらの間に第２空間を画定して第２フランジによって接続されている、ハウジングと、
ブリッジと、前記ブリッジから延びるビームとを含むリテーナであって、前記ビームは曲面状の下面を有し、前記リテーナは、前記リテーナが係合位置にあるときに前記エンドフォームを前記ハウジングの通路内に保持する、前記ブリッジから延びる２つのリテーナアームと、前記係合位置へ移動中の前記リテーナを導く、前記ブリッジから延びる２つのガイド脚部とを含み、前記ブリッジ、前記ビーム、前記２つのリテーナアーム、及び前記２つのガイド脚部は、一体的な単一の単体部品であり、前記ビームは、前記リテーナが前記係合位置にあるときに前記エンドフォームと接触し、前記ビームは、冗長ラッチを提供するために前記リテーナが前記係合位置にあるときに前記環状ビードの軸方向前方に配置され、前記２つのリテーナアームは前記ハウジングの第１空間に収容され、前記２つのガイド脚部は前記ハウジングの第２空間に収容される、リテーナと
を含み、
前記２つのガイド脚部は各々、上部戻り止めと、下部戻り止めと、それらの間に位置する中央戻り止めとを含む、流体クイックコネクタ組立体。
【請求項１５】
前記リテーナがサービス位置にあるとき、前記第１フランジが前記中央戻り止めと前記下部戻り止めとの間に位置し、前記リテーナが出荷位置にあるとき、前記第１フランジが前記中央戻り止めと前記上部戻り止めとの間に位置し、前記リテーナが前記係合位置にあるとき、前記上部戻り止めが前記第１フランジのスロット内に収容される、請求項１４に記載の流体クイックコネクタ組立体。
【請求項１６】
前記２つのリテーナアームの各々は、前記エンドフォームの環状ビードが係合する、面取りされた内側面を含む、請求項１０に記載の流体クイックコネクタ組立体。
【発明の詳細な説明】
【背景技術】
【０００１】
関連出願の相互参照
本出願は、２０１４年３月３０日に出願された米国仮特許出願第６１／９７２３６９号及び２０１３年１２月２日に出願された米国仮特許出願第６１／９１０５５５号の優先権を主張する。
【０００２】
発明の背景
エンドフォームをハウジング内にリテーナで解放可能に保持するために、クイックコネクタ組立体が使用される。クイックコネクタ組立体は、流体システムに使用することができる。従前のクイックコネクタ組立体は、別個のラッチと、ラッチによってエンドフォームが適切に固定されていることを確認するために別個の確認機構を含む。
【発明の概要】
【課題を解決するための手段】
【０００３】
本開示の例示的な実施形態による流体クイックコネクタ組立体は、特に、エンドフォームを収容するように構成された通路を有するハウジングと、ブリッジを含むリテーナとを含む。ブリッジからビームが延びている。リテーナが係合位置にあるときに雄型エンドフォームをハウジングの通路内に保持するために、２つのリテーナアームがブリッジから延びている。係合位置へ移動中のリテーナを導く２つのガイド脚部がブリッジから延びている。ブリッジ、ビーム、２つのリテーナアーム、及び２つのガイド脚部は、一体的な単一の単体部品であり、ビームはリテーナが係合位置にあるときにエンドフォームと接触する。
【０００４】
上記流体クイックコネクタ組立体の更なる実施形態において、エンドフォームは環状ビードを有する管状体を含み、ビームは、冗長ラッチを提供するためにリテーナが係合位置にあるときに環状ビードの軸方向前方に配置される。
【０００５】
上記流体クイックコネクタ組立体の更なる実施形態において、ビームは曲面状の下面を有する。
【０００６】
上記流体クイックコネクタ組立体の更なる実施形態において、ハウジングは、第１部分と、第２部分と、第３部分とを含む。第１部分と第２部分は第１フランジによって接続され、それらの間に第１空間が画定されている。第２部分と第３部分は第２フランジによって接続され、それらの間に第２空が画定されている。２つのリテーナアームは第１空間に収容され、２つのガイド脚部は第２空間に収容されている。
【０００７】
上記流体クイックコネクタ組立体の更なる実施形態において、ハウジングの第２部分は止め具を含み、２つのリテーナアームは各々、リテーナが係合位置へ移動するのを防止するためにハウジングの止め具と係合する、かぎ状突起を含む。
【０００８】
上記流体クイックコネクタ組立体の更なる実施形態において、リテーナの２つのリテーナアームは各々、アップセット接触タブを含み、リテーナが係合位置へ移動できるようにするためにかぎ状突起を止め具から外すように２つのリテーナアームを外側へ付勢するべく、エンドフォームの環状ビードがアップセット接触タブと係合する。
【０００９】
上記流体クイックコネクタ組立体の更なる実施形態において、リテーナが係合位置にあるとき、２つのリテーナアームはエンドフォームをハウジング内に固定するために内側に偏る。
【００１０】
上記流体クイックコネクタ組立体の更なる実施形態において、ハウジングの第２部分は第１戻り止めを含み、リテーナの２つのリテーナアームは第２戻り止めを含む。第１戻り止めと第２戻り止めは、リテーナが係合位置にあるときにリテーナがハウジングから外れるのを防止するために係合する。
【００１１】
上記流体クイックコネクタ組立体の更なる実施形態において、２つのガイド脚部は各々、上部戻り止めと、下部戻り止めと、それらの間に位置する中央戻り止めとを含む。
【００１２】
上記流体クイックコネクタ組立体の更なる実施形態において、リテーナがサービス位置にあるとき、第１フランジは中央戻り止めと下部戻り止めとの間に位置し、リテーナが出荷位置にあるとき、第１フランジは中間戻り止めと上部戻り止めとの間に位置し、リテーナが係合位置にあるとき、上部戻り止めは第１フランジのスロット内に収容されている。
【００１３】
上記流体クイックコネクタ組立体の更なる実施形態において、２つのリテーナアームの各々は、エンドフォームの環状ビードが係合する、面取りされた内側面を含む。
【００１４】
本開示の例示的な実施形態による流体クイックコネクタ組立体は、特に、環状ビードを有する管状体を含むエンドフォームを含む。ハウジングが、エンドフォームを収容するように構成された通路を有する。ハウジングは、第１部分と、第２部分と、第３部分とを含む。第１部分と第２部分は第１フランジによって接続され、それらの間に第１空間が画定されている。第２部分と第３部分は第２フランジによって接続され、それらの間に第２空が画定されている。リテーナがブリッジを含む。ブリッジからビームが延びている。ビームは曲面状の下面を有する。リテーナは、リテーナが係合位置にあるときに雄型エンドフォームをハウジングの通路内に保持するためにブリッジから延びる２つのリテーナアームを含む。係合位置へ移動中のリテーナを導く２つのガイド脚部がブリッジから延びている。ブリッジ、ビーム、２つのリテーナアーム、及び２つのガイド脚部は一体的な単一の単体部品である。ビームは、リテーナが係合位置にあるときにエンドフォームに接触する。ビームは、冗長ラッチを提供するためにリテーナが係合位置にあるときに環状ビードの軸方向前方に配置される。２つのリテーナアームはハウジングの第１空間に収容され、２つのガイド脚部はハウジングの第２空間に収容されている。
【００１５】
上記流体クイックコネクタ組立体の更なる実施形態において、ハウジングの第２部分は止め具を含み、２つのリテーナアームは各々、リテーナが係合位置へ移動するのを防止するためにハウジングの止め具と係合する、かぎ状突起を含む。
【００１６】
上記流体クイックコネクタ組立体の更なる実施形態において、リテーナの２つのリテーナアームは各々、アップセット接触タブを含み、リテーナが係合位置へ移動できるようにするためにかぎ状突起を止め具から外すように２つのリテーナアームを外側へ付勢するべく、エンドフォームの環状ビードがアップセット接触タブと係合する。
【００１７】
上記流体クイックコネクタ組立体の更なる実施形態において、リテーナが係合位置にあるとき、２つのリテーナアームはエンドフォームをハウジング内に固定するために内側に偏る。
【００１８】
上記流体クイックコネクタ組立体の更なる実施形態において、ハウジングの第２部分は第１戻り止めを含み、リテーナの２つのリテーナアームは第２戻り止めを含み、第１戻り止めと第２戻り止めはリテーナが係合位置にあるときにリテーナがハウジングから外れるのを防止するために係合する。
【００１９】
上記流体クイックコネクタ組立体の更なる実施形態において、２つのガイド脚部は各々、上部戻り止めと、下部戻り止めと、それらの間に位置する中央戻り止めとを含む。
【００２０】
上記流体クイックコネクタ組立体の更なる実施形態において、リテーナがサービス位置にあるとき、第１フランジは中央戻り止めと下部戻り止めとの間に位置し、リテーナが出荷位置にあるとき、第１フランジは中央戻り止めと上部戻り止めとの間に位置し、リテーナが係合位置にあるとき、上部戻り止めは第１フランジのスロット内に収容されている。
【００２１】
上記流体クイックコネクタ組立体の更なる実施形態において、２つのリテーナアームの各々は、エンドフォームの環状ビードが係合する、面取りされた内側面を含む。
【図面の簡単な説明】
【００２２】
【図１】係合位置にあるクイックコネクタ組立体の斜視図を示す。
【図２】エンドフォームの斜視図を示す。
【図３】ハウジングの斜視図を示す。
【図４】ハウジングの側面図を示す。
【図５】ハウジングの上面図を示す。
【図６】リテーナ／確認機構の正面図を示す。
【図７】リテーナ／確認機構の背面図を示す。
【図８】リテーナ／確認機構の側面図を示す。
【図９】リテーナ／確認機構の斜視図を示す。
【図１０】サービス位置にあるクイックコネクタ組立体の側面図を示す。
【図１１】サービス位置にあるクイックコネクタ組立体の斜視図を示す。
【図１２】出荷位置にあるクイックコネクタ組立体の側面図を示す。
【図１３】出荷位置にあるクイックコネクタ組立体の斜視図を示す。
【図１４】図１３の線１４−１４に沿って切断され、エンドフォームが仮想線で示される、出荷位置にあるクイックコネクタ組立体の断面斜視図を示す。
【図１５】出荷位置にあり、エンドフォームのビードがリテーナ／確認機構のリテーナアームと係合し且つ外側に付勢しているときの、クイックコネクタ組立体の断面斜視図を示す。
【図１６】係合位置にあるクイックコネクタ組立体の側面図を示す。
【図１７】図１６の線１７−１７に沿って切断された、係合位置にあるクイックコネクタ組立体の断面斜視図を示す。
【図１８】係合位置にあるクイックコネクタ組立体の正面図を示す。
【図１９】出荷位置にある第２のクイックコネクタ組立体の断面側面図を示す。
【図２０】エンドフォームの側面図を示す。
【図２１】第２のクイックコネクタ組立体のハウジングの斜視図を示す。
【図２２】ハウジングの側面図を示す。
【図２３】ハウジングの上面図を示す。
【図２４】ハウジングの正面図を示す。
【図２５】図２２の線２５−２５に沿って切断された、ハウジングの断面正面図を示す。
【図２６】第２のクイックコネクタ組立体のリテーナの正面図を示す。
【図２７】リテーナの背面図を示す。
【図２８】リテーナの側面図を示す。
【図２９】リテーナの斜視図を示す。
【図３０】第２のクイックコネクタ組立体の確認機構の正面図を示す。
【図３１】確認機構の側面図を示す。
【図３２】出荷位置にある第２のクイックコネクタ組立体の側面図を示す。
【図３３】図３２の線３３−３３に沿って切断された、出荷位置にある第２のクイックコネクタ組立体の断面正面図を示す。
【図３４】出荷位置にある第２のクイックコネクタ組立体の側面図を示す。
【図３５】図３４の線３５−３５に沿って切断された、出荷位置にある第２のクイックコネクタ組立体の断面正面図を示す。
【図３６】係合位置にある第２のクイックコネクタ組立体の側面図を示す。
【図３７】図３６の線３７−３７に沿って切断された、係合位置にある第２のクイックコネクタ組立体の断面正面図を示す。
【発明を実施するための形態】
【００２３】
図１は、クイックコネクタ組立体２０を示す。クイックコネクタ組立体２０は、ハウジング２２と、リテーナ／確認機構２４と、エンドフォーム２６とを含む。リテーナ／確認機構２４は、エンドフォーム２６をハウジング２２内に保持する。前方向を方向Ｘと定義し、後方向を方向Ｙと定義する。上方向を方向Ａと定義し、下方向を方向Ｂと定義する。
【００２４】
図２に示すように、エンドフォーム２６は、筒状体２８と、筒状体２８から円周方向に包囲する環状ビード３０とを含む。
【００２５】
図３、４及び５は、ハウジング２２を示す。ハウジング２２は、プラスチック管又はゴムホース（図示せず）内に収容可能なステム５８を含む。ハウジング２２は、エンドフォーム２６を収容する通路３２を含む。ハウジング２２は、第１開口部３６を有する第１部分３４と、第１開口部３６及び通路３２と整列された第２開口部４２を有する第２部分３８とを含む。第１部分３４は、第２部分３８の軸方向前方に配置され、フランジ４６によって第２部分３８に取り付けられている。第１部分３４と第２部分３８との間には空間４４が画定されている。フランジ５０が第２部分３８の後方に延び、第２部分３８と第３部分５６の間で通路３２の両側に空間４８を画定するように、第３部分５６に取り付けられている。各フランジ５０の外面は、下面５４まで下方に延びるスロット５２を含む。
【００２６】
止め具６０が空間４４内で第２部分３８の前面に位置し、止め具６０の各上角部に突起６９を含む。実質的に三角形の戻り止め６２が、ハウジング２２の底部付近で通路３２の両側において第２部分３８の背面側に位置する。各戻り止め６２は、第２部分３８に対して実質的に垂直な係止面６６と、第２部分３８へと上方に延びる傾斜面６４とを含む。係止面６６は傾斜面６４より下に位置する。
【００２７】
リテーナ／確認機構２４は、単一の一体的な単体モノリシック部品である。リテーナ／確認機構２４は、上フランジ６８と、上フランジ６８から下方に延びる２つのリテーナアーム７０と、上フランジ６８から下方に延びる２つのガイド脚部７２とを含む。２つのリテーナアーム７０は、ガイド脚部７２の前方且つ内側に位置する。
【００２８】
２つのリテーナアーム７０は各々、エンドフォーム２６のビード３０がハウジング２２の通路３２に挿入されたときに係合することができる面取りされた面７５を、各リテーナアーム７０の前方内側面に含む。２つのリテーナアーム７０の各々の背面が、かぎ状突起７４を含み、かぎ状突起７４は各々、底面に位置する凹部７１を有する。アップセット接触タブ７６が、各かぎ状突起７４より上に位置する。曲面状の下面８０を有するビーム７８が、２つのリテーナアーム７０の間で上フランジ６８から下方に延びている。
【００２９】
２つのガイド脚部７２は各々、第１戻り止め８２、第２戻り止め８４、及び第３戻り止め８６を有する、外側面を含む。第１戻り止め８２は上フランジ６８付近に位置し、第３戻り止め８６は各脚部７２の末端付近に位置し、第２戻り止め８４は第１戻り止め８２と第３戻り止め８６との間に位置する。
【００３０】
各ガイド脚部７２の前面が、各ガイド脚部７２の底面付近に実質的に三角形の戻り止め９８を含む。戻り止め９８は、傾斜面１００と、ガイド脚部７２に対して実質的に垂直な係止面１０２とを含む。係止面１０２は傾斜面１００より上に位置し、傾斜面は各ガイド脚部７２の末端に向かって下方に延びている。
【００３１】
図１０及び１１は、サービス位置にあるクイックコネクタ組立体２０を示す。リテーナアーム７０は空間４４内に位置し、ガイド脚部７２は空間４８内に位置する。リテーナ／確認機構２４は、フランジ５０が第２戻り止め８４と第３戻り止め８６との間に位置するように、ハウジング２２に対して配置されている。
【００３２】
図１２〜１５は、出荷位置にあるクイックコネクタ組立体２０を示す。リテーナ／確認機構２４は、フランジ５０が第１戻り止め８２と第２戻り止め８４との間に位置するように、ハウジング２２に対して下方に押し込まれている。ハウジング２２の第２部分３８の前側にある止め具６０の両方の突起６９が、リテーナアーム７０のかぎ状突起７４の凹部７１に係合し（リテーナアーム７０の一部は図１４に示されていない）、リテーナ／確認機構２４が図１及び図１６〜１８に示す係合位置へ移動するのを防止する。
【００３３】
エンドフォーム２６は通路３２に挿入され、ビード３０はリテーナ／確認機構２４のリテーナアーム７０の面取りされた面７５と係合し、リテーナアーム７０を外側に偏らせる。ビード３０がアップセット接触タブ７６と係合すると、リテーナアーム７０が外側に偏り、止め具６０の突起６９をかぎ状突起７４の凹部７１（図１５に示す）から離脱させる。これにより、ひいては、リテーナ／確認機構２４が図１及び図１６〜１８に示す係合位置へ下方に移動することが可能になる。
【００３４】
リテーナ／確認機構２４が係合位置へ移動させられると、第１戻り止め８２がフランジ５０のスロット５２内に且つ下面５４より上に収容されるように、ガイド脚部７２は下方に移動させられる。各ガイド脚部７２の戻り止め９８の傾斜面１００は、ハウジング２２の戻り止め６２の傾斜面６４に沿って移動する。リテーナ／確認機構２４の戻り止め９８の係止面１０２はその後、リテーナ／確認機構２４がハウジング２２から上方向に外れるのを防止するために、ハウジング２２の戻り止め６２の係止面６６と係合する。ビード３０がハウジング２２のリテーナアーム７０を通過すると、リテーナアーム７０はそれらの元の位置まで内側に偏り、エンドフォーム２６をハウジング２２内に固定する。
【００３５】
図１８に示すように、クイックコネクタ組立体２０が係合位置にあるとき、リテーナ／確認機構２４のビーム７８の曲面状の下面８０は、エンドフォーム２６のビード３０の軸方向前方に配置される。ビーム７８は、クイックコネクタ組立体２０のハウジング２２からエンドフォーム２６が外れるのを防止するために、単一のプッシュロックを備えた冗長ラッチを提供する。
【００３６】
図１９は、出荷位置にある別のクイックコネクタ組立体１２０を示す。クイックコネクタ組立体１２０は、ハウジング１２２と、リテーナ１２４と、確認機構１２６と、エンドフォーム１２８とを含む。リテーナ１２４は、エンドフォーム１２８をハウジング１２２内に固定する。後方向を方向Ｘと定義し、前方向を方向Ｙと定義する。上方向を方向Ａと定義し、下方向を方向Ｂと定義する。図２０に示すように、エンドフォーム１２８は、管状体１３０と、環状ビード１３２とを含む。
【００３７】
図２１〜２５は、ハウジング１２２を示す。ハウジング１２２は、エンドフォーム１２８を収容する通路１３４を含む。ハウジング１２２は、第１開口部１３８を有する第１部分１３６を含み、第１部分１３６は第２開口部１４２を有する第２部分１４０に取り付けられている。開口部１３８及び１４２は、エンドフォーム１２８を収容するために通路１３４と整列されている。第１部分１３６は、第２部分１４０の軸方向前方に離間して配置され、それらの間に空間１４４が画定されている。
【００３８】
第１部分１３６と第２部分１４０は、フランジ１４６によって接続されている。ハウジング１２２はまた、通路１３４の両側に空間１４８を画定するようにフランジ１５０によって第２部分１４０に接続された第３部分１５２を含む。フランジ１５０の各々は、下方棚部１５７まで延びるスロット１５４を含む。
【００３９】
ハウジング１２２はまた、プラスチック管又はゴムホース（図示せず）内に収容可能なステム１５５を含む。実質的に三角形の戻り止め１６０が、第２部分１４０の背面側で通路１３４の両側に位置する。各戻り止め１６０は、第２部分１４０に対して実質的に垂直な係止面１６４と、係止面１６４から第２部分１４０へと上方に延びる傾斜面１６２とを含む。係止面１６４は、ハウジング１２２の底部の近くに位置する。
【００４０】
図２６〜２９は、リテーナ１２４を示す。リテーナ１２４は、単一部品で作られた、単一の一体的な単体モノリシック部品である。リテーナ１２４は、上フランジ１６６と、上フランジ１６６から下方に延びる２つのリテーナアーム１６８と、上フランジ１６６から下方に延びる２つのガイド脚部１７０とを含む。２つのリテーナアーム１６８は、２つのガイド脚部１７０の内側に位置する。
【００４１】
２つのリテーナアーム１６８は各々、エンドフォーム１２８のビード１３２がハウジング１２２に挿入されたときに係合することができる面取りされた面１７２を、各リテーナアーム１６８の前方内側面に含む。曲面状の下面１７６を有するビーム１７４が、上フランジ１６６から下方に延びている。リテーナ１２４の各リテーナアーム１６８の前面にあるタブ１８０は、エンドフォーム１２８が挿入されたときに引き出されるのを防止する。２つのリテーナアーム１６８の各々の背面が、曲面状の下面１７６の近くに止め具１６７を含む。
【００４２】
２つのガイド脚部１７０は各々、第１戻り止め１８２、第２戻り止め１８４、及び第３戻り止め１８６を有する、外側面を含む。第１戻り止め１８２は上フランジ１６６付近に位置し、第３戻り止め１８６は各ガイド脚部１７０の末端付近に位置し、第２戻り止め１８４は第１戻り止め１８２と第３戻り止め１８６との間に位置する。
【００４３】
各ガイド脚部１７０の前面は、ガイド脚部１７０の底面付近に実質的に三角形の戻り止め１８８を含む。戻り止め１８８は、傾斜面１９０と、ガイド脚部１７０に対して垂直な係止面１９２とを含む。係止面１９２は上フランジ１６６寄りに位置し、傾斜面１９０はガイド脚部１７０の末端に向かって下方に延びている。
【００４４】
図３０及び３１は、確認機構１２６を示す。確認機構１２６は、ブリッジ１９４と、下方に延びる２つのアーム１９６とを含む。各アーム１９６は、第１傾斜面２００と第２傾斜面２０２とを有する、実質的に三角形の止め具１９８を含む。端面２０４が、各アーム１９６の末端に位置する。各アーム１９６の内面が、内向きタブ２０６を含む。２つのフランジ１９５が、ブリッジ１３４から上方に延び、確認機構１２６をハウジング１２２内で中央に配置する。
【００４５】
図１９に戻ると、出荷位置では、エンドフォーム１２８がハウジング１２２内に完全に挿入されるまで、リテーナ１２４を方向Ｂに押し下げることができない。エンドフォーム１２８が完全に挿入されているが、リテーナ１２４が押し下げられていない場合、クイックコネクタ組立体１２０は役目を果たすまで更に機能する。
【００４６】
図３２及び３３は、出荷位置にあるクイックコネクタ組立体１２０を示す。確認機構１２６は、端部２０４が各々リテーナ１２４の止め具１７６に接触するように、ハウジング１２２内に配置されている。この接触はリテーナ１２４が上方又は下方に移動するのを防止することができる。
【００４７】
図３４〜３５も、出荷位置にあるクイックコネクタ組立体１２０を示す。エンドフォーム１２８が通路１３４に挿入されると、ビード１３２がリテーナ１２４の２つのリテーナアーム１６８の面取りされた面１７２と係合し、リテーナアーム１６８を外側に偏らせる。エンドフォーム１２８のビード１３２が確認機構１２６の内向きタブ２０６と係合すると、アーム１９６が外側に偏り、確認機構１２６の端部２０４をリテーナ１２４の止め具１６７から解放する。
【００４８】
図３６及び図３７に示すように、その結果、リテーナ１２４に対して、係合位置へ移動するように下向きに力を加えることができる。リテーナ１２４の戻り止め１８８の係止面１９２は、リテーナ１２４が上方向に外れるのを防止するために、ハウジング１２２の戻り止め１６０の係止面１６４と係合する。また、単一のプッシュロックを備えた冗長ラッチを提供するために、リテーナ１２４のビーム１７４の曲面状の下面１７６は、リテーナ１２４が係合位置にあるときにビード１３２の軸方向前方に配置される。
【００４９】
前述の説明は、本発明の原理の例示にすぎない。上記の教示に照らして多くの修正及び変形が可能である。従って、添付の特許請求の範囲内で、具体的に説明された例示的な実施形態を用いるのと別の方法で発明を実施し得ることを理解すべきである。そのため、本発明の真の範囲及び内容を決定するために、以下の特許請求の範囲を検討すべきである。
【図１】
0006507164.tif 000002
【図２】
0006507164.tif 000003
【図３】
0006507164.tif 000004
【図４】
0006507164.tif 000005
【図５】
0006507164.tif 000006
【図６】
0006507164.tif 000007
【図７】
0006507164.tif 000008
【図８】
0006507164.tif 000009
【図９】
0006507164.tif 000010
【図１０】
0006507164.tif 000011
【図１１】
0006507164.tif 000012
【図１２】
0006507164.tif 000013
【図１３】
0006507164.tif 000014
【図１４】
0006507164.tif 000015
【図１５】
0006507164.tif 000016
【図１６】
0006507164.tif 000017
【図１７】
0006507164.tif 000018
【図１８】
0006507164.tif 000019
【図１９】
0006507164.tif 000020
【図２０】
0006507164.tif 000021
【図２１】
0006507164.tif 000022
【図２２】
0006507164.tif 000023
【図２３】
0006507164.tif 000024
【図２４】
0006507164.tif 000025
【図２５】
0006507164.tif 000026
【図２６】
0006507164.tif 000027
【図２７】
0006507164.tif 000028
【図２８】
0006507164.tif 000029
【図２９】
0006507164.tif 000030
【図３０】
0006507164.tif 000031
【図３１】
0006507164.tif 000032
【図３２】
0006507164.tif 000033
【図３３】
0006507164.tif 000034
【図３４】
0006507164.tif 000035
【図３５】
0006507164.tif 000036
【図３６】
0006507164.tif 000037
【図３７】
0006507164.tif 000038